(57)【要約】      （修正有）【課題】血液中に過剰に出現した白血球とサイトカインの吸着除去などに好適に使用し得る吸着材料を内臓した吸着器の提供。【解決手段】吸着材料は、不溶性担体に親水性アミン残基を結合してなり、孔径１μｍ以上１００μｍ以下の孔の孔容積率が３０％未満である。親水性アミン残基は、アミノ基が４級化されていることがサイトカイン吸着の観点から好ましい。【選択図】なし【特許請求の範囲】
【請求項１】
孔径１μｍ以上１００μｍ以下の孔の孔容積率が３０％未満であり、親水性アミン残基が結合してなる、血液分散液から白血球およびサイトカインを吸着または除去する水不溶性材料を内蔵することを特徴とする吸着器。
【請求項２】
前記サイトカインはインターロイキン−１（ＩＬ−１）、インターロイキン−６（ＩＬ−６）、インターロイキン−８（ＩＬ−８）、インターロイキン−１０（ＩＬ−１０）、腫瘍壊死因子−α（ＴＮＦ−α）、トランスフォーミング・グロウス・ファクター・ベータ（ＴＧＦ−β）、血管新生増殖因子（ＶＥＧＦ）、免疫抑制酸性蛋白（ＩＡＰ）から選ばれる少なくとも１種であることを特徴とする請求項１記載の吸着器。
【請求項３】
前記血液分散液からの顆粒球の吸着率が５０％以上、かつ単球の吸着率が５０％以上であることを特徴とする請求項１記載の吸着器。
【請求項４】
前記水不溶性材料が繊維状、中空糸形状またはビーズ状を有することを特徴とする請求項１記載の吸着器。
【請求項５】
前記水不溶性材料が繊維状あるいは中空糸形状を有し、かつ膜形態を有することを特徴とする請求項４記載の吸着器。
【請求項６】
前記水不溶性材料の形状が繊維状あるいは中空糸形状であって、かつその繊維径が３μｍを超えるものであることを特徴とする請求項４または５記載の吸着器。
【請求項７】
前記水不溶性材料の形状がビーズ状であって、かつ材料の表面に径が３μｍを超える突起部分を有することを特徴とする請求項４記載の吸着器。
【請求項８】
前記親水性アミン残基におけるアミノ基が４級化されていることを特徴とする請求項１〜７のいずれかに記載の吸着器
【請求項９】
血液を循環させる用途に使用するものであることを特徴とする請求項１〜８のいずれかに記載の吸着器。
【請求項１０】
請求項１ないし９記載の吸着器を用いる、血液分散液から血球浄化液を得る方法。
【発明の詳細な説明】
【技術分野】
【０００１】
本発明は、血液中から白血球とサイトカインとを吸着または除去する吸着器に関するものである。さらに詳しくは、白血球とサイトカインとを吸着または除去することに適した血液処理カラムに関するものである。
【背景技術】
【０００２】
広く知られているように、血液には白血球が含まれている。白血球には顆粒球・単球・リンパ球などの種類があり、これらのうち顆粒球・単球は感染防御に重要なものであるが、必要以上に増加すると炎症性サイトカインや活性酸素等を放出し続けて血管や腎臓などの臓器に傷害を与えるので、有害である。例えば、敗血症の重篤化、冠動脈の閉塞の誘導を起こし、その他、潰瘍性大腸炎、クローン病またはリウマチなどに代表される自己免疫疾患を引き起こすので、これらの病気の対処法として過剰に増えた顆粒球・単球を吸着または除去する必要がある。また、炎症時に増加するサイトカインや活性酸素も併せて吸着または除去することが必要である。
【０００３】
これまでに、白血球除去、また顆粒球を対象とした白血球除去を目的としたカラム（特許文献１，２）や、サイトカイン吸着を目的としたカラム（特許文献３，４）がそれぞれ開発されてきている。
【０００４】
これらのカラムの担体においては、白血球そのものの除去またはサイトカインそのものの除去のための効率化は施されているが、血球や血球が情報応答する液性因子すべてについて除去することができないため、残存した細胞の正常化が不十分となる。
【０００５】
白血球と毒素との両方を吸着することを目的としたカラム（特許文献５，６）も開発されているが、サイトカインのような細胞が産生する生理活性物質については何ら除去することができないため、残存した細胞の正常化が不十分となる。
【０００６】
なお、これらの吸着器では、除去した血球成分のため、目詰まりが起こることが問題点と指摘されており、その克服のため、吸着体の中の空隙を規定したカラム（特許文献７）が開発されている。
【０００７】
しかしながら、血球濃度の高い血液から白血球除去を行う場合、特に担体に目詰まりすることが多く、この改善が望まれていた。
【特許文献１】特開昭６０−１９３４６８号公報
【特許文献２】特開平５−１６８７０６号公報
【特許文献３】特開平１０−２２５５１５号公報
【特許文献４】特開平１２−２３７５８５号公報
【特許文献５】特開平１４−１１３０９７号公報
【特許文献６】特開平１４−１７２１６３号公報
【特許文献７】特開平０７−８００６２号公報
【発明の開示】
【発明が解決しようとする課題】
【０００８】
上述したように白血球、特に過剰の顆粒球や単球より癌壊死因子、インターロイキン１、インターロイキン６、インターフェロンなどの種々のサイトカインや、酸過酸化物が放出されており、これら過剰なサイトカインが生理的悪影響を及ぼすことが知られている。そこで、本発明者等は、サイトカイン放出を行う白血球、特に顆粒球や単球を吸着または除去し、併せてサイトカインの血中濃度増加を予防して、血液の状態を改善することが重要であると考えた。本発明の課題は、血球濃度が高い濃厚血液であっても、血球等が担体に目詰まりすることを防止しつつ、顆粒球或いは単球を本吸着器に付着させ、併せてサイトカイン産生を抑制し、また直接血液中より標的サイトカインを除去する新規吸着器を実現することである。
【課題を解決するための手段】
【０００９】
本発明は、上記目的を達成するために、下記の構成を有する。
１．孔径１μｍ以上１００μｍ以下の孔の孔容積率が３０％未満であり、親水性アミン残基を結合してなる、血液分散液から白血球およびサイトカインを吸着または除去する水不溶性材料を内蔵することを特徴とする吸着器。
２．前記サイトカインはインターロイキン−１（ＩＬ−１）、インターロイキン−６（ＩＬ−６）、インターロイキン−８（ＩＬ−８）、インターロイキン−１０（ＩＬ−１０）、腫瘍壊死因子−α（ＴＮＦ−α）、トランスフォーミング・グロウス・ファクター・ベータ（ＴＧＦ−β）、血管新生増殖因子（ＶＥＧＦ）、免疫抑制酸性蛋白（ＩＡＰ）から選ばれることを特徴とする１記載の吸着器。
３．血液分散液からの顆粒球の吸着率が５０％以上、かつ単球の吸着率が５０％以上であることを特徴とする１記載の吸着器。
４．水不溶性材料の形状が繊維、膜、中空糸及びビーズから選ばれることを特徴とする１記載の吸着器。
５．水不溶性材料の形状が繊維または中空糸であって、繊維径、粒子径が３μｍを超えるものであることを特徴とする４記載の吸着器。
６．親水性アミン残基におけるアミノ基が４級化されていることを特徴とする１〜５のいずれかに記載の吸着器
７．血液を循環させることを特徴とする１〜６のいずれかに記載の吸着器。
８．１ないし８記載の吸着器を用いる、血球分散液から血球浄化液を製造する方法。
【発明の効果】
【００１０】
本発明に係る材料を用いると、血球等が材料に目詰まりすることを防止しつつ、過剰に増殖した顆粒球や単球などの人体に不要かつ有害な白血球や、これら細胞に対し情報伝達するサイトカインを併せて除去することが可能であるため、これらによる細胞に対する刺激を緩和し、活性化状態を抑えることができ、難病として知られる潰瘍性大腸炎、クローン病、自己免疫疾患などの血液処理や治療に有用である。
【００１１】
また、輸血に用いる血液をあらかじめ本発明の吸着器を用いて処理することで、安全な輸血を行うことが可能となる。本発明では、血液とは、全血、腹水、胸水を指す。
【発明を実施するための最良の形態】
【００１２】
続いて、本発明についてさらに詳細に説明する。
【００１３】
本発明の吸着器に内蔵される水不溶性材料とは、血液分散液から白血球およびサイトカインの両方を吸着または除去可能な吸着材料である。ここで、本発明における血液分散液とは、白血球、赤血球、血小板の少なくともひとつが血清、血漿、培地、緩衝液等に分散した液を指す。また、本発明における水不溶性材料とは、実質上、あるいはその大部分が水に溶けない性質の材料を意味し、６０分間水中に入れた場合の重量減量が初期重量の２％未満の材料を指す。
【００１４】
さらに、本発明に係る吸着材料は、孔径１μｍ以上１００μｍ以下の孔の孔容積率が３０％未満であること、および少なくとも親水性アミン残基が結合してなることを特徴とするものである。特に１μｍ未満の孔の比率が高い場合と１００μｍを超える孔の比率が高い場合の２通りが考えられるが、本発明は構造上後者となる。
【００１５】
本発明でいう孔とは、材料を血球が通過する流路を形成するために材料を貫通しているものである。繊維と繊維との隙間や、粒子と粒子との間隙などを含むものである。本発明の目的である白血球、特に顆粒球或いは単球の捕捉には、血球の流路を確保して血液処理時の目詰まりを防止するために、孔径は１μｍ以上の孔の割合が一定の容積以上を占めることが好ましく、より好ましくは５μｍ以上の孔が多いことがより好ましい。
【００１６】
しかしながら、特にヘマトクリット値が５０％を超えるような濃厚血液の場合、白血球、特に顆粒球や単球の捕捉の効率を高め、一定容積に多数の顆粒球や単球が付着できる表面積を確保するため、また、捕捉した白血球による目詰まりを防ぐためには大きな孔径の孔が多数存在することが好ましく、孔径が１００μｍ以上の孔がより多く存在することが好ましい。かかる孔の割合を実用状態の吸着材料の全ての孔の占める容積（全孔容積）に対する孔径１μｍ以上１００μｍ以下の孔の占める容積の割合（本発明において、孔容積率という。）で表す時、孔径１μｍ以上１００μｍ以下の孔の孔容積率が３０％未満であることが好ましい。更に２８％未満であることがより好ましい。ところが孔容積率が小さくなりすぎることは、孔径１００μｍ以上の孔が増加することを意味するものであり、この場合吸着材料の強度が低下して変形するため、却って血球等が目詰まりを起こして血液分散液にかかる圧力が上昇しやすくなる。このため、かかる孔の孔容積率は１５％以上であることが好ましく、より好ましくは２０％以上である。
【００１７】
ここで、細孔等の孔径が上記した範囲を有する場合、吸着材料は必要な機械的な圧縮強度や引っ張り強度を保てない場合があることが懸念される。従って、本願発明においては、吸着材料に補強構造を付与することが重要となる。その手段としては、血球の除去以外の目的で、直径１０μｍを超えるような繊維を混合すること、たとえばスクリム構造を付与することなどが考えられ、これらを用いることで、孔径１μｍ以上１００μｍ以下の孔の孔容積率が３０％未満という要件を安定に維持できる。
【００１８】
ここで、孔径１μｍ以上１００μｍ以下の孔の孔容積率は水銀圧入法による水銀圧入曲線から得ることができる。この場合、水銀圧入法による測定は、１〜２６５０ｐｓｉａの圧力範囲で測定した値とする。ここで、本吸着材料は、生理的な条件で生理食塩水もしくは血液と接触し実用されるものであるが、この値はできるだけ実用時に近い変形状態での値を測定する必要がある（これらの液体中で吸着材料を形成する繊維の繊維径（中空糸の場合は中空糸外径、以下同じ。）やビーズ粒子の上の表面の突起の径（大きさ）が乾燥状態に比べ変化しないものが、材料としては好ましい。）。従って、測定時に孔の状態をできるだけ実用時に近い変形状態とする必要がある。
【００１９】
また、測定容器への充填時に圧縮によって吸着材料の容積が変わらないよう注意する。また、血液処理時に吸着材料と顆粒球或いは単球とがより多く接触するように設計するという観点からは、吸着材料を形成する繊維の繊維径（中空糸の場合は中空糸外径、以下同じ。）やビーズ粒子の上の表面の突起の径（大きさ）などについて、これら血球細胞の貪食能を発揮しやすくするという観点からは、０．５μｍから５μｍに設計することが好ましい条件である。上記した材料の細孔の孔径を１μｍ以上とするためには、吸着材料を形成する繊維の繊維径、あるいはビーズ粒子の表面の突起の径（大きさ）等（以下、繊維径等）が３μｍを超えることがより好ましい。繊維径等が小さい場合、リンパ球の吸着率または除去率が多くなることがあり、その場合はメモリーセルの除去に繋がる。メモリーセルの低下につながらないようにするためには、リンパ球の吸着率が４０％以下であることが好ましく、安全性の観点から、好ましくは３０％以下である。かかる観点からも、この繊維径等が３μｍを超えると、リンパ球の捕捉率を下げることができるため、白血球の吸着または除去における選択性を付与でき、好ましい。また、顆粒球、単球等の細胞をより効率的に吸着または除去させるためには、水不溶性材料からなる担体（以下、水不溶性担体）として用いるこれら繊維の繊維径等が４μｍ以上であることが好ましい。さらには、より確実にリンパ球の吸着率を抑え、顆粒球や単球の吸着率の低下につながらないようにする観点からは、繊維径等が５μｍ以上であることがよい。ただし、これらの径が１０μｍを超えると顆粒球や単球の吸着率が低下してしまうことがあるため、実用上の観点からは大きくても２０μｍ以下であることが好ましいことが分かっている。ただし、血球の吸着または除去以外の目的で混合した繊維構造体などにおける径はこの限りではない。なお、本発明における繊維径等、または機械強度保持材の径は、光学顕微鏡、ズーム付きＣＣＤカメラ、走査型電子顕微鏡などいずれの装置を用いても測定可能である。ここで示した径は、形状が真円状の場合のみ適用されるものではなく、たとえば楕円や矩形、多角形の形状の場合にも適用される。これらの場合、最外層を結んでできた図形の面積を求め、その面積に相当する円の直径を求める。ただし、５つの突起部分が存在する星形を例にとる場合、その５つの頂点を結ぶ図形を考え、その面積を算出し、対応する円の直径を本発明で言う径とする。
【００２０】
ここで、吸着材料の嵩密度とは、容器中に該吸着材料を充填した時の一定体積当たりの重さをいうが、吸着材料の形状が粒子状である場合は、該容器に該吸着材料を嵩密度０．０２ｇ／ｃｍ３以上０．５ｇ／ｃｍ３以下の範囲として充填して吸着器とする事が望ましい。更に、目詰まりを防ぎ、圧損の上昇を防いで流れをスムーズにするために好ましい嵩填密度は、０．０５ｇ／ｃｍ３以上０．４ｇ／ｃｍ３以下で、更に好ましい充填密度は０．０５ｇ／ｃｍ３以上０．３ｇ／ｃｍ３以下である。
【００２１】
本発明において、白血球等を吸着する担体である水不溶性材料の形状は特に限定されないが、加工性や、血液処理カラムとした時の圧力損失等の点から、繊維、中空糸又はビーズの形状であることが好ましい（なお、ここでの繊維とは、中空糸形状を有さないものをいう。）。もちろん、これらを混合したものでもかまわない。
【００２２】
また、水不溶性材料の形態は膜形態であることが好ましい。本発明において、膜形態とは、繊維状、中空糸状、リボン状などの形状を有し、かつ、その表面に多数の微細孔がある多孔質状の物を指す。微細孔の孔径は血液分散液中の生理活性物質、すなわちタンパク質、糖タンパク質、多糖類、プロテオグリカン類などが材料の内部まで入ることが可能な大きさであることが好ましく、数ｎｍからサブミクロンのオーダーまでを含むものである。
【００２３】
本発明の吸着材料においては、形体は特に不織布とすることが好ましい。その場合、不織布の嵩密度は、大きすぎると目詰まりしやすく、逆に小さすぎると形態保持性が悪くなるので、０．０１〜０．３ｇ／ｃｍ３であることが好ましく、より好ましくは０．０３〜０．１５ｇ／ｃｍ３であるものが使用される。なお、血球の除去以外の目的で前述した１０μｍを超える繊維の混合、スクリム構造の付与などを行った場合、１００μｍを超える孔の孔容積率が大きくなっているにも関わらず、嵩密度はあまり小さくならない。
【００２４】
孔容積率の制御は、一般に容器内の繊維の嵩密度を制御することで達成される。粒子状の吸着体を用いる場合は、その直径に依存して決まる。繊維径および素材が同一の繊維を用いる場合は、繊維を集合させたときの密度を変化させることで制御可能である。繊維を用いる場合は、本発明における材料を作製するためには、例えば以下の方法をとればよく、またこの方法に限るものではない。すなわち、用いる繊維の直径を２μｍから５μｍとし、さらに直径８μｍ以上の繊維を適量混合し繊維を交絡させ、例えばパンチング回数を制御するなどして、繊維の交絡度を変化させ、嵩密度が上記範囲の嵩密度である材料を作成することができる。
【００２５】
なお、吸着材料の全表面積、即ち顆粒球や単球の捕捉面の表面積はいずれであっても使用できる。
【００２６】
本発明で用いる吸着材料の基本的な構成としては、水不溶性担体に官能基を固定化したもの、もしくは官能基を固定化した水不溶性担体を基材にコーティング等したものが好ましい。水不溶性担体の種類は、水不溶性を有し、官能基を固定化できるものであれば良く、特に制限されるものではない。生体適合性の観点からは、ポリプロピレンやポリエチレンなどのオレフィン系樹脂が好ましく、ポリアミドや、ポリエチレンテレフタレートに代表されるポリエステル、ポリスチレンなどのビニル系ポリマーが好ましい。
【００２７】
吸着材料としては、水溶液や血液との親和性を向上させるために、その表面が親水性であることが好ましく、材料が親水性被覆層を有することが好ましい。ただし、あらかじめエタノール等の液体になじませた後に水溶液と接触させることによっても親和性についての改善は可能であるため、親水性被覆層を設けることが必須ではない。材料が親水性被覆層を有することができるようにするための方法としては、用いる吸着材料の組成を親水性の水不溶性高分子にする方法、水不溶性高分子表面に親水性官能基を共有結合により結合させ、導入する方法（共有結合法）、親水性の水不溶性高分子を材料にコートする方法（コート法）などの公知技術を利用可能である。本発明では、材料にサイトカインを吸着する機能を保持させるため、上記３つの方法のうち共有結合法もしくはコート法が望ましく、繊維径等をコントロールする観点からは共有結合法がもっとも好ましい。
【００２８】
これらの方法により親水性表面を形成するために用いられる化合物としては、ポリアルキレングリコール鎖を有する単量体、重合体またはグラフト共重合体、エチレン−ビニルアルコール、ポリエステル等を用いることが例示できる。この中で、重合体中にヒドロキシル基を有していることが、特に血小板の過剰な捕捉を防止できるため好ましい。
【００２９】
本発明において、上記水不溶性担体に結合させる官能基は親水性アミン残基（すなわち、親水性アミン官能基）であるが、特に４級アンモニウム塩および／または直鎖状アミノ基を固定化したものが好ましい。なお、親水性アミン残基以外の官能基を固定化することも問題ない。４級アンモニウム塩および／または直鎖状アミノ基を水不溶性担体に固定化するため、別途反応性官能基を材料に導入することが好ましく、その好ましい例としては、ハロメチル基、ハロアセチル基、ハロアセトアミドメチル基、ハロゲン化アルキル基などの活性ハロゲン基、エポキサイド基、カルボキシル基、イソシアン酸基、チオイソシアン酸基、酸無水物基などを挙げることができるが、とりわけ、活性ハロゲン基、中でもハロアセチル基は、製造が容易な上に、反応性が適度に高く、４級アンモニウム塩および／または直鎖状アミノ基の固定化反応が温和な条件で遂行できると共に、この際生じる共有結合が化学的に安定なので好ましい。
【００３０】
ここで、官能基の固定化とは、アンモニア、第１〜３級アミノ基等をポリマに化学的に結合させることを意味する。第１〜３級アミノ基としては、炭素原子数（以下、炭素数）で言うと、窒素原子１個当たり炭素数１８以下であるものが反応性官能基との反応率向上のために好ましい。さらに、第１〜３級アミノ基の中でも、窒素原子１個当たりの炭素数が３以上１８以下、とりわけ、４以上１４以下のアルキル基を持つ第３級アミノ基から得られる第４級アンモニウム基を結合したものがサイトカイン吸着性の観点から優れている。かかる第３級アミノ基の具体例としては、トリメチルアミン、トリエチルアミン、Ｎ，Ｎ−ジメチルヘキシルアミン、Ｎ，Ｎ−ジメチルオクチルアミン、Ｎ，Ｎ−ジメチルラウリルアミン、Ｎ−メチル−Ｎ−エチル−ヘキシルアミンなどが挙げられる。
【００３１】
本発明における材料における固定化された４級アンモニウム塩および／または直鎖状アミノ基の密度は、水不溶性担体の化学構造、あるいは吸着器の用途により異なるが、少なすぎるとその機能が発現しない傾向にあり、一方、多すぎると、固定化後の担体の物理的強度が低下し、また吸着材料としての機能も下がる傾向にあるので、水不溶性担体の繰り返し単位あたり０．０１〜２．０モル、より好ましくは０．１〜１．０モルが良い。
【００３２】
前述の通り、吸着材料の形状としては特に限定はないが、カラムとして用いる場合には、繊維状、中空糸形状あるいはビーズ状が好ましく、さらには繊維を用いた編織した編地、織物や不織布等の繊維構造物とすることが好ましい。水不溶性担体それ自身のみで形態保持可能であれば材料単独での使用も可能であるが、単独での形態保持性が低ければ適当な基材にコーティングなどの方法で固定したり、他の材料と混合して一つのカラムとして用いることもできる。かかる固定化あるいは混合などの操作は、上記した編地、織物等に加工する前に行っても良い。
【００３３】
本発明において用いられる不織布は、単独の繊維から作製されるものであってもよいが、特に好ましくは海島型複合繊維から作製されるものである。すなわち、かかる複合繊維を用いて公知の方法によって不織布にした後、この不織布の形態保持性を良くするため、および嵩密度を調整するために、ニードルパンチした後、海成分を溶解することによって、容易に製造することができる。
【００３４】
水不溶性担体として好ましい素材は前述の通りであるが、単独で使用可能な４級アンモニウム塩および／または直鎖状アミノ基を固定化したポリマであり、単独で使用可能なポリマとしての具体例は、ポリ（ｐ−フェニレンエーテルスルホン）：−｛（ｐ−Ｃ６Ｈ４）−ＳＯ２−（ｐ−Ｃ６Ｈ４）−Ｏ−｝ｎ−やユーデル・ポリスルホン：−｛（ｐ−Ｃ６Ｈ４）−ＳＯ２−（ｐ−Ｃ６Ｈ４）−Ｏ−（ｐ−Ｃ６Ｈ４）−Ｃ（ＣＨ３）２−（ｐ−Ｃ６Ｈ４）−Ｏ｝ｎ−のほか、−｛（ｐ−Ｃ６Ｈ４）−ＳＯ２−（ｐ−Ｃ６Ｈ４）−Ｏ−（ｐ−Ｃ６Ｈ４）−Ｏ｝ｎ−、−｛（ｐ−Ｃ６Ｈ４）−ＳＯ２−（ｐ−Ｃ６Ｈ４）−Ｓ−（ｐ−Ｃ６Ｈ４）−Ｏ｝ｎ−、−｛（ｐ−Ｃ６Ｈ４）−ＳＯ２−（ｐ−Ｃ６Ｈ４）−Ｏ−（ｐ−Ｃ６Ｈ４）−Ｃ（ＣＦ３）２−（ｐ−Ｃ６Ｈ４）−Ｏ｝ｎ−などで代表されるポリスルホン系重合体、ポリエーテルイミド、ポリイミド、ポリアミド、ポリエーテル、ポリフェニレンサルファイド、ポリスチレン、アクリルポリマなどで、かつ、アミノ基を共有結合により固定化できる反応性官能基を持つものが挙げられる。そのなかでも、ポリスルホン系重合体は安定性が高く、また形態保持性が良いので好ましく用いられる。
【００３５】
具体的な例としては、クロルアセトアミドメチル化ポリスチレン、クロルアセトアミドメチル化したユーデル・ポリスルホン、クロルアセトアミドメチル化したポリエーテルイミドなどが使用される。さらに、これらのポリマは有機溶媒に対し可溶であるものが、成型のしやすさの上から、特に好ましく使用される。
【００３６】
本発明における吸着材料は、かかる４級アンモニウム塩および／または直鎖状アミノ基等を有するポリマを水不溶性担体自体としてこれを繊維状、中空糸形状またはビーズ状に成形する方法によって製造することの他、繊維、中空糸及びビーズ、特に生産性の面から好ましくは不織布等の基材に４級アンモニウム塩および／または直鎖状アミノ基等を有するポリマをコーティングして製造することもできる。後者の場合、該ポリマを溶媒、たとえば塩化メチレン、テトラヒドロフラン、Ｎ，Ｎージメチルホルムアミドなどに溶かし、この溶液に該不織布を浸したのち、該溶媒を蒸発させることにより容易に製造することができる。
【００３７】
また、４級アンモニウム塩および／または直鎖状アミノ基等を水不溶性担体に固定化する際の反応溶媒としては、水、メタノール、エタノール、イソプロパノール、ジメチルスルホキシド、Ｎ，Ｎ−ジメチルホルムアミド、Ｎ，Ｎ−ジメチルアセトアミド、Ｎ−メチルピロリドンなどが好ましく用いられる。
【００３８】
また、本発明における吸着材料は、上記構成を採ることにより、血液分散液からの顆粒球の吸着率は５０％以上であり、かつ単球の吸着率が５０％以上であることを特徴とする。なお、本発明における吸着率とは、血球を例に取る場合、以下の式から求められるものである。
【００３９】
吸着率（％）＝［（カラム循環前の血液中の血球量）−（カラム循環後の血液中の血球量）］／（カラム循環前の血液中の血球量）×１００
本発明における吸着材料が吸着するサイトカインは、インターロイキン−１（ＩＬ−１）、インターロイキン−６（ＩＬ−６）、インターロイキン−８（ＩＬ−８）、インターロイキン−１０（ＩＬ−１０）、腫瘍壊死因子−α（ＴＮＦ−α）、トランスフォーミング・グロウス・ファクター・ベータ（ＴＧＦ−β）、血管新生増殖因子（ＶＥＧＦ）および免疫抑制酸性蛋白（ＩＡＰ）からなる群から選ばれる少なくとも１種のサイトカインである。これらは、すべて白血球除去療法適用が考えられている病態である潰瘍性大腸炎、クローン病、および慢性関節リウマチなどへの関与が指摘されており、また、その除去により近年抗腫瘍効果があると期待されているサイトカインである。
【００４０】
これら吸着すべきサイトカインの種類によって、水不溶性担体に固定化する４級アンモニウム塩および／または直鎖状アミノ基の種類を適宜選択することができる。たとえば、インターロイキン−１（ＩＬ−１）、インターロイキン−６（ＩＬ−６）、トランスフォーミング・グロウス・ファクター・ベータ（ＴＧＦ−β）、血管新生増殖因子（ＶＥＧＦ）、免疫抑制酸性蛋白（ＩＡＰ）などは、Ｎ，Ｎ−ジメチルヘキシルアミン、Ｎ，Ｎ−ジメチルオクチルアミン、Ｎ，Ｎ−ジメチルラウリルアミンなどを材料に固定化すると吸着性を付与することができる。また、インターロイキン−８（ＩＬ−８）、インターロイキン−１０（ＩＬ−１０）、腫瘍壊死因子−α（ＴＮＦ−α）などは、アミン成分としてテトラエチレンペンタミンを材料に固定化することで吸着性を付与できる。
【００４１】
本発明において、これらサイトカインの吸着性または除去性の評価は、すべて天然型のタンパク質を被吸着材料として用い、酵素免疫測定法（ＥＩＡ法）にて測定したものをいう（測定条件を３７℃の温度で２時間バッチ吸着させて行うものである。）。
【００４２】
本発明の吸着器は、本発明の吸着材料をカラム容器に充填することによって製造することができる。カラム容器としては、公知の血液処理用カラムの容器を用いることができる。カラムの構成としては、吸着材料を平板状に形成し、これを重ねて充填したカラム、吸着材料が円筒形状に巻かれてなる円筒状フィルターが、両端部に血液入口と血液出口とを有する円筒容器に納められているカラム、吸着材料が円筒形状に巻かれてなる中空円筒状フィルターが、その両端部を封止された状態で血液入口と血液出口とを有する円筒状容器であり、容器の血液出口は前記中空円筒状フィルターの外周部に通じる部位に、また容器の血液出口は前記中空円筒状フィルターの内周部に通じる部位にそれぞれ設けられている容器に納められているカラムが好ましい。そのなかでも、中空円筒状フィルターを用いたカラムは、血液中の炎症性白血球の大部分が、円筒形状フィルターの外周部の大きな面積の不織布により迅速に吸着または除去され、吸着または除去されずに残ったわずかな炎症性白血球も、円筒形状フィルターの内周部に到って、その小さな面積の不織布により十分に吸着または除去されるため、効率的な炎症性白血球の吸着または除去が可能であるので、最も好ましい。
【００４３】
本発明の吸着材料は、上述の血液入口と血液出口とを有する容器に充填して、吸着器として使用することができる。容器形状としては、血液入口と血液出口を有する容器であれば特に限定はないが、敢えて例を挙げると、公知の吸着材料を積層状に充填できる容器や、円柱状、三角柱状、四角柱状、六角柱状、八角柱状、等の角柱状容器、更に、吸着材料を円筒状に巻いたものを充填できる容器、又は、血液が円筒の外周に配された入口より内側へと流れ、最も内側に集まって中央の血液流出口より流れ出る形状であることを特徴とする容器等が良好な形状となる。血液がこれと反対の向きに流れる構造の容器であっても問題ない。又、錘状等の、断面積が入口から出口に向かうに従って小さくなる形状を有する容器等を用いることができる。このときの吸着材料の血液濾過断面積（濾過面積）と血液濾過長（捕捉材の厚み）の比（断面積／厚み、以下Ｓ／Ｌとする。）は、小さすぎると断面積が不足して吸着器における血液の流れ抵抗が大きくなることがあるため好ましくなく、又大きすぎると吸着器内で血液の片流れなどの流れの不均一が起こり易くなり、顆粒球及び／又は単球の粘着による捕捉率が低下するため、やはり好ましくない。好ましいＳ／Ｌの範囲は、１０ｃｍ以上２００ｃｍ以下である。さらに好ましくは１２ｃｍ以上１００ｃｍ以下である。
【００４４】
ここで、使用前の洗浄時のゴミや血液成分の凝集物などの上記した繊維等の孔径より大きな固形物が進入することや、また、吸着器内で凝集した血液成分の凝集物が吸着器の外に出て人体に入ることを抑制するために、吸着器の中に平均孔径が本吸着材料の孔径よりも大きな濾過材料を、容器内における吸着材料より上流側の位置および／または下流側の位置に設けることが好ましい。かかる濾過材料の平均孔径は１０〜３００μｍのものが通常採用されるが、これに制限されるものではない。ただし平均孔径が１０μｍ未満であると、濾過材料表面で血球による目詰まりを引き起こし、圧力損失が増大することがあるためよくないことがある。
【００４５】
本発明の吸着器のプライミング量（血液容量）は、特に限定されるものではないが、操作性の面及び処理時間の短縮のため可能な限り少ないことが好ましい。好ましいプライミング量の例を示すと、５〜５００ｍｌが良く、更に好ましくは１０〜２００ｍｌ、最も好ましくは、２０〜１００ｍｌである。
【００４６】
本発明において、吸着器の滅菌方法は公知の何れの方法であっても良いが、敢えて例を挙げるならば、オートクレーブ等の熱滅菌、γ線滅菌、電子線滅菌等の放射線滅菌等の滅菌法を使用できる。付与した官能基や、使用する水不溶性担体の性質を考え適宜選択し、使用すればよい。
【００４７】
本発明の吸着器の使用方法の具体例を示すと、吸着器の前後に血液バッグ、血液回路、チェンバー、クランプ、ローラクランプ、ドリップチェンバー、針、メッシュ付きドリップチェンバー、血液ポンプ用チューブ等の機材のいずれか若しくは複数を適宜選択して組み込んだもの、例えば体外循環用回路あるいは輸血用回路などを用いて行うことができる。回路中に組み込まれる機材は、上記に限定される物ではない。更に、回路の途中に血液ポンプ、送液ポンプ或いは吸引ポンプ等のポンプを組み込んで使用することもできる。また、血液の自重による落差によって血液を送液することもできる。
【実施例】
【００４８】
以下、実験例により、本発明をさらに具体的に説明する。
（孔容積率の測定）
水銀圧入法により測定した。圧力範囲は１〜２６５０ｐｓｉａとして測定した。ここで孔はできるだけ実用時に近い変形状態での値を用いる必要があるので、生理食塩水中で繊維径が乾燥状態に比べ変化する素材の場合は、膨潤などによる径の変化を光学顕微鏡で測定し、面積はその変化率について２乗倍、容積はその変化率について３乗倍することで補正した。かかる方法にて測定して得られた結果を用い、孔径１μｍ以上１００μｍ以下に相当する圧力における孔の容積を合計し、この圧力範囲内での全孔容積に対する比率、すなわち孔径１μｍ以上１００μｍ以下の孔の孔容積率を求めた。
（サイトカイン吸着評価）
牛胎仔血清にヒト天然型ＩＬ−１、ＩＬ−６を添加し、これらの濃度がそれぞれ５００ｐｇ／ｍｌとなるように調製した。この血清に吸着担体を添加し、３７℃で２時間振とうし（通常ＥＩＡ測定で採用される条件を用いた。総液量が１．５ｍｌ以下の場合振動数は１０回／秒程度であるが、液量が多い場合は下げる必要がある）、上清を採取し、サンプルとした。担体：血清量の比率を３０ｍｇ：１ｍｌの固液比として統一し、振とう前後のサイトカイン量を求め吸着率を測定した。定量にはＥＩＡ法を用い、市販のキット（ＩＬ−１：Ｒ＆Ｄ  Ｓｙｓｔｅｍ社製ヒトＩＬ−１βＥＬＩＳＡキット、ＩＬ−６：鎌倉テクノサイエンス製）を用いて行い、以下の式にて吸着率を算出した。
【００４９】
吸着率（％）＝［（カラム循環前の血液中のサイトカイン量）−（カラム循環後の血液中のサイトカイン量）］／（カラム循環前の血液中のサイトカイン量）×１００
（血球数の測定）
体液中の血球数の定量、ヘマトクリット値の測定は、シスメックス社ＸＴ−１８００Ｖｉを用いて行った。顆粒球、単球の吸着率は以下の式にて算出した。
【００５０】
吸着率（％）＝［（カラム循環前の血液中の血球量）−（カラム循環後の血液中の血球量）］／（カラム循環前の血液中の血球量）×１００
（繊維径などの測定）
日立製作所製  走査型電子顕微鏡Ｓ−８００を用いて形状観察を行い、１０カ所測定を行った平均値とした。
［作製例］
（不織布）
３６島の海島複合繊維であって、島が更に芯鞘複合によりなるものを、次の成分を用いて、紡糸速度８００ｍ／分、延伸倍率３倍の製糸条件で得た。
島の芯成分；ポリプロピレン
島の鞘成分；ポリスチレン９０ｗｔ％、ポリプロピレン１０ｗｔ％
海成分；５−ナトリウムスルホイソフタル酸を３ｗｔ％共重合したポリエチレンテレフタレート
複合比率（重量比率）；芯：鞘：海＝４０：４０：２０
この繊維７０ｗｔ％と、直径２５μｍのポリプロピレン繊維３０ｗｔ％からなるシート状物を作製した後、開孔部が３ｍｍ角のポリエステル製ネット（厚み０．４ｍｍ、単糸径０．３ｍｍ、目付３０ｇ／ｍ２）をこれらの間に挟み、ニードルパンチすることによって三層構造の吸着担体を得た。次に、この不織布を９０℃水酸化ナトリウム水溶液（３ｗｔ％）で処理して海成分の５−ナトリウムスルホイソフタル酸を３ｗｔ％共重合したポリエチレンテレフタレートを溶解することによって、芯鞘繊維の直径が４μｍで、嵩密度が０．０５ｇ／ｃｍ３（総目付２１０ｇ／ｍ２）の不織布を作製した（不織布）。
（中間体）
次に、ニトロベンゼン６００ｍＬと硫酸３９０ｍＬの混合液にパラホルムアルデヒド３ｇを２０℃で溶解した後、０℃に冷却し、７５．９ｇのＮ−メチロール−α−クロルアセトアミドを加えて、５℃以下で溶解した。これに５ｇの上記不織布を浸し、室温で２時間静置した。その後、繊維を取り出し、大過剰の冷メタノール中に入れ、洗浄した。繊維をメタノールで良く洗った後、水洗し、乾燥して、５．９ｇのα−クロルアセトアミドメチル化ポリスチレン繊維（中間体）を得た。
【００５１】
（吸着材料）
Ｎ，Ｎ−ジメチルヘキシルアミン５０ｇとヨウ化カリウム８ｇを３６０ｍＬのＤＭＦに溶かした溶液に５ｇの中間体を浸し、８５℃のバス中で３時間加熱した。繊維をイソプロパノールで洗浄後、１ｍｏｌ／Ｌ濃度の食塩水１０００ｍｌに３時間浸漬した後、水洗し、真空乾燥して、７．８ｇのジメチルヘキシルアンモニウム化繊維（吸着材料１）を得た。
［実施例１］
健常者ボランティアの血液１００ｍｌをヘパリン採血（１０Ｕ／ｍｌ）し、遠心により血球を濃縮し、ヘマトクリットが５５％の血液を５０ｍｌ調製した。その中へ、５００ｐｇ／ｍｌになるようにヒト天然型ＩＬ−１、ＩＬ−６を溶解し、以下の検討を行った。
【００５２】
吸着材料１を８０ｍｇ採り、内容積２ｍｌのカラムに充填し、３７℃で１時間上記血液２５ｍｌを循環した後、血球の組成を自動血液分析器で調べ、また、ＩＬ−１、ＩＬ−６量をＥＩＡ法にて定量した。カラム循環によって血液中のリンパ球数は６．９％減少、顆粒球は６２％減少、単球は７６％減少し、ＩＬ−１、ＩＬ−６はそれぞれ２１％、２３％減少していた。別途、サイトカイン吸着評価を行った結果、ＩＬ−１、ＩＬ−６の吸着率はそれぞれ５２％、７６％であった。
【００５３】
吸着材料１を８０ｍｇ、内容積２ｍｌのカラムに充填し、溶液流路をあけた状態で孔容積率の測定を行った。孔径１μｍ以上１００μｍ以下の孔の孔容積率は、２８％であった。
［比較例１］
実施例１と同様に、吸着材料１を２５０ｍｇ採り、内容積２ｍｌのカラムに充填し、３７℃で１時間上記血液２５ｍｌを循環した後、血球の組成を自動血液分析器で調べ、また、ＩＬ−１、ＩＬ−６量をＥＩＡ法にて定量した。カラム循環によってリンパ球数は４５．８％減少し、顆粒球は９３％減少、単球は９７％減少し、ＩＬ−１、ＩＬ−６はそれぞれ３３％、４２％減少していた。
【００５４】
別途、サイトカイン吸着評価を行った結果、ＩＬ−１、ＩＬ−６の吸着率はそれぞれ５２％、８６％であった。吸着材料１を２５０ｍｇ採って内容積２ｍｌのカラムに充填し、溶液流路をあけた状態で孔容積率の測定を行った。孔径１μｍ以上１００μｍ以下の孔の孔容積率は、７９％であった。
【００５５】
顆粒球や単球の吸着率は高くなるが、同時にリンパ球の吸着率も高くなりすぎた。また、カラム内の圧上昇が起こりやすく、実施例１では１時間循環時のカラム圧は３４ｍｍＨｇであったが、比較例１では１８２ｍｍＨｇとなり、操作性にも問題があった。
【００５６】
以上の結果から、孔径１μｍ以上１００μｍ以下の孔の孔容積率が３０％未満である本発明による吸着器は、特に高いヘマトクリット値を持つような濃厚血液を用いた場合、高い効率で血液中の顆粒球および単球を吸着でき、さらにはサイトカインをも高い効率で吸着することができる。
【産業上の利用可能性】
【００５７】
本発明による吸着器は、血液中の白血球、炎症性、免疫抑制性サイトカインを効率よく吸着および／または除去し、かつ血液中の有用成分の吸着率および／または除去率を低くすることが可能な白血球除去療法用途に提供できる。
また、本発明における材料は、シャーレ、瓶、膜、繊維、中空糸、粒状物またはこれらを用いた組み立て品などの成形品の形で、アフィニティークロマトグラフ用カラム、治療用血液カラム、特に体外循環カラムとして好適に使用することができる。